(57)【要約】      （修正有）【課題】キャビネットに用いる配線管理構造を提供する。【解決手段】主に一つのフレーム１０、二つの配線ユニット２０を含むキャビネットに用いる配線管理構造である。各配線ユニット２０は板型構造であり、片側をフレーム１０の表面の相対する両サイドに結合し、複数個の配線溝２２を設け、相対するフレーム１０の別サイドに複数個の配線溝２２と接続する開口２３を設ける。多元化した配線ユニットとフレームの結合により、各接続ポートの配線がいずれも対応する配線溝（Ｐｅｒ ＰＯＲＴ Ｄｅｓｉｇｎｅｄ）に通すことができ、配線と配線がぶつかり合う状況を避け、ベストな配線管理と通風放熱の効果に達する。【選択図】図４
0003185223.tif 000002
【実用新案登録請求の範囲】
【請求項１】
一つのフレーム、二つの配線ユニットを含み、
一つのフレームを一つのキャビネットに設置し、
二つの配線ユニットは板型構造であり、各配線ユニットの片側はそれぞれ該フレームの表面の相対する両サイドと結合し、また、各配線ユニットは複数個の配線溝を設け、且つ相対する該フレームの別サイドに複数個のそれぞれ該配線溝と接続する開口を設けることを特徴とするキャビネットに用いる配線管理構造。
【請求項２】
前記フレームは更に二つの軌道を設け、該配線ユニットはそれぞれうちの一つの軌道にスライドすることができることを特徴とする請求項１記載のキャビネットに用いる配線管理構造。
【請求項３】
前記各配線ユニットに一つの結合部を設け、該軌道にスライドすることで、該配線ユニットは該軌道の方向に沿ってスライドすることができることを特徴とする請求項２記載のキャビネットに用いる配線管理構造。
【請求項４】
前記結合部は外側に向かって二つの弾力フラップを延伸することができることを特徴とする請求項３記載のキャビネットに用いる配線管理構造。
【請求項５】
前記各配線ユニットは各配線溝に基づき、複数個のケーブルマネジメントボードにカットできることで、各ケーブルマネジメントボードはいずれも一つの配線溝と一つの対応する開口を具有することを特徴とする請求項４記載のキャビネットに用いる配線管理構造。
【請求項６】
前記各ケーブルマネジメントボードは更に一つのクリップを設けることができ、それを用いて該ケーブルマネジメントボードを結合し、該開口を閉じることを特徴とする請求項５記載のキャビネットに用いる配線管理構造。
【請求項７】
前記該クリップは更に一つの掛合部を設け、且つ各ケーブルマネジメントボードの対応する位置に一つの被掛合部を設けることで、該掛合部は被掛合部と結合できることを特徴とする請求項６記載のキャビネットに用いる配線管理構造。
【請求項８】
前記該二つの配線ユニットは二つのＬ字型ケーブルマネジメントボードとすることができ、それに含まれるのは一つの底板と一つの側面板であり、且つ該底板は該フレームと結合することを特徴とする請求項１記載のキャビネットに用いる配線管理構造。
【請求項９】
前記各配線ユニットは更に一つのクリップを設けることで、該側面板と結合し、且つ該開口を閉じることを特徴とする請求項８記載のキャビネットに用いる配線管理構造。
【請求項１０】
前記該クリップは更に一つの掛合部を設け、且つ該側面板の対応する位置に一つの被掛合部を設置することで、該掛合部が該被掛合部と結合できることを特徴とする請求項９記載のキャビネットに用いる配線管理構造。
【請求項１１】
更に一つの蓋を設置することで、該側面板と結合し、開口を閉じることを特徴とする請求項８記載のキャビネットに用いる配線管理構造。
【請求項１２】
前記該蓋に更に二つのフック部を設け、且つそれぞれ該二つの側面板の対応する位置に一つの凸部を設置することで、該二つのフック部がそれぞれ該二つの凸部と結合できることを特徴とする請求項１１記載のキャビネットに用いる配線管理構造。
【請求項１３】
前記該フレームは更に少なくとも一つの中空部分を設置することができることを特徴とする請求項１０或いは請求項１２記載のキャビネットに用いる配線管理構造。
【考案の詳細な説明】
【技術分野】
【０００１】
本考案はキャビネットに用いる配線管理構造に関し、特にキャビネットの中に設置し、同時に情報設備の接続ポートの異なる種類、位置、数に合わせて当該配置を調整できる配線管理構造に関する。
【背景技術】
【０００２】
インターネット情報のトランスミッションと交流が益々盛んになるのにつれ、情報装置を設置するキャビネットも広く使われるようになってきた。早期では情報キャビネットにある各部品の配置は、完璧な統括法はなかったため、各部品間の回線の接続は往々にして乱雑であった。キャビネット内の部品を増設や削除、或いは交換する際には、乱雑な回線が阻害となることは必至であったため、まずは邪魔な回線をまず取り除き、作業完了後に再度つなげるしかないため、情報キャビネットの回線メンテナンスでは極めて繁雑且つ時間のかかる工程であり、著しく情報装置の運用を遅延していた。
【０００３】
また、近年では情報テクノロジーの発展およびクラウドコンピューティングの急速な発展につれ、エコなエンジンルームの建築は以前より気を配るようになり、情報回線も以前に比べ、更に増幅しているため、エンジンルーム内に配置する情報キャビネット内にある回線の管理方法および設置管理は、早くも情報業者の重要な課題となっていた。不良な配線管理装置では、乱雑な配線が情報キャビネット内に散乱するため、キャビネット内に設置している情報装置の換気が悪く、放熱不良により多くの電力消耗を引き起こしていた。
【０００４】
よって、現在のキャビネット内の配線管理の方法としては、既に配線溝を使って、各接続ポートと接続する回線が該配線溝の方向に沿って配置することができ、できるだけ回線が乱雑過ぎる状況を減らす。図１に示すのは、現在広く市場で使われている配線溝９０であり、該配線溝９０はコの字型の本体９１とカバー９２を含み、該本体９１の両サイドに複数個の穴９３を設ける。この類の配線溝９０を使用すると、回線の阻害問題を避けることはできるが、昨今の使用している配線溝９０はいずれも既定の規格である。異なる接続ポート９４は、各接続ポート９４間の距離がいずれも異なり、且つ異なる様式の情報設備に設ける接続ポート９４の位置と数量もまた異なる。よって、尚も配線９５が詰まる状況が発生し、放熱不良を引き起こすため、キャビネット内の温度が高くなり、それによって情報設備が故障或いは損壊しやすくなる。有効的にキャビネット内の温度をコントロールできれば、放熱装置にかかる電力コストを大きく下げることができるのを鑑みて、更なる改善が必要であった。
【先行技術文献】
【特許文献】
【０００５】
【特許文献１】特開２０１２−１２３７９１号公報
【考案の概要】
【考案が解決しようとする課題】
【０００６】
前記公知構造の欠点を解決するために、本考案の第１の目的は、多元化された配線ユニットを利用し、スタンダードのフレームを組み立てることで、各接続ポートの配線がいずれも対応する配線溝に通すことができ（Ｐｅｒ ＰＯＲＴ Ｄｅｓｉｇｎｅｄ）、配線と配線がぶつかりあう状況を避け、ベストな配線管理と通風放熱の効果に達するキャビネットに用いる配線管理構造を提供することにある。
【０００７】
本考案の第２の目的は、数個のシングルケーブトレーのケーブルマネジメントボードの組み合わせ、或いはＬ字型ケーブルマネジメントボードの構造を使うことにより、キャビネットにて回線の設置が更に多元化する。また、ケーブルマネジメントボードを生産するには、更に便利且つコストが比較的低いキャビネットに用いる配線管理構造を提供することにある。
【０００８】
本考案の第３の目的は、クリップを使って開口とフレームに設ける中空部分を閉じるデザインを使って、有効的に配線がぶつかるのを避けることで、キャビネット内の空気の流れをスムーズにし、放熱効果をアップさせるキャビネットに用いる配線管理構造を提供することにある。
【課題を解決するための手段】
【０００９】
上述の目的を解決するために、本考案はキャビネットに用いる配線管理構造を提供するものである。それに含まれるのは一つのフレーム１０と二つの配線ユニット２０である。該フレームをキャビネットに設置する。該二つの配線ユニット２０は板型構造であり、各配線ユニット２０の片側はそれぞれ該フレーム１０の表面の相対する両サイドと結合する。また、各配線ユニット２０に複数個の配線溝２２を設け、且つ該フレーム１０と相対する別側に複数個のそれぞれ該配線溝２２と接続する開口２３を設ける。
【００１０】
前記構造に基づき、該フレームは更に二つの軌道を設け、該配線ユニットはそれぞれうちの一つの軌道にスライドすることができる。
【００１１】
前記構造に基づき、各配線ユニットに一つの結合部を設け、該軌道にスライドすることで、該配線ユニットは該軌道の方向に沿ってスライドすることができる。
【００１２】
前記構造に基づき、該結合部は外側に向かって二つの弾力フラップを延伸することができる。
【００１３】
前記構造に基づき、各配線ユニットは各配線溝に基づき、複数個のケーブルマネジメントボードにカットできることで、各ケーブルマネジメントボードはいずれも一つの配線溝と一つの対応する開口を具有する。
【００１４】
前記構造に基づき、各ケーブルマネジメントボードは更に一つのクリップを設けることができ、それを用いて該ケーブルマネジメントボードを結合し、該開口を閉じる。
【００１５】
前記構造に基づき、該クリップは更に一つの掛合部を設け、且つ各ケーブルマネジメントボードの対応する位置に一つの被掛合部を設けることで、該掛合部は被掛合部と結合できる。
【００１６】
前記構造に基づき、該二つの配線ユニットは二つのＬ字型ケーブルマネジメントボードとすることができ、それに含まれるのは一つの底板と一つの側面板であり、且つ該底板は該フレームと結合する。
【００１７】
前記構造に基づき、各配線ユニットは更に一つのクリップを設けることで、該側面板と結合し、且つ該開口を閉じる。
【００１８】
前記構造に基づき、該クリップは更に一つの掛合部を設け、且つ該側面板の対応する位置に一つの被掛合部を設置することで、該掛合部が該被掛合部と結合できる。
【００１９】
前記構造に基づき、本考案のキャビネットに用いる配線管理構造は更に一つの蓋を設置することで、該側面板と結合し、開口を閉じる。
【００２０】
前記構造に基づき、該蓋に更に二つのフック部を設け、且つそれぞれ該二つの側面板の対応する位置に一つの凸部を設置することで、該二つのフック部がそれぞれ該二つの凸部と結合できる。
【００２１】
前記構造に基づき、該フレームは更に少なくとも一つの中空部分を設置することができる。
【考案の効果】
【００２２】
本考案は一つのフレーム、二つの配線ユニットの設置し、各配線ユニットは板型構造であり、片側を該フレームの表面と結合し、且つ複数個の配線溝を設け、多元化した配線ユニットとフレームの結合により、各接続ポートの配線がいずれも対応する配線溝（Ｐｅｒ ＰＯＲＴ Ｄｅｓｉｇｎｅｄ）に通すことができ、配線と配線がぶつかり合う状況を避け、ベストな配線管理と通風放熱の効果に達する。
【図面の簡単な説明】
【００２３】
【図１】従来技術の配線溝の使用略図である。
【図２】本考案の一つの実施例の軌道を結合した立体図である。
【図３】多数のシングル配線溝のケーブルマネジメントボードを軌道に結合した立体図である。
【図４】多数のシングル配線溝のケーブルマネジメントボードの部品分解図である。
【図５】本考案の一つの実施例の側面略図である。
【図６】別タイプの配線ユニットとクリップ側面略図である。
【図７】本考案の別の実施例のＬ字型ケーブルマネジメントボードを結合した立体図である。
【図８】Ｌ字型ケーブルマネジメントボードに蓋を結合する略図である。
【図９】Ｌ字型ケーブルマネジメントボードに蓋を結合する側面略図である。
【図１０】本考案のキャビネットに用いる配線管理構造の使用略図である。
【考案を実施するための形態】
【００２４】
本考案によるキャビネットに用いる配線管理構造の構造を明確に示すために図に沿って詳細な説明を行う。本考案に使われるキャビネットに用いる配線管理構造は、工業スタンダード規範(ＥＩＡ-３１０Ｄ)に合わせたフレームを使用し、エンジンルーム内に設置する情報キャビネット内に固定することができる。まず接続が必要な接続ポートの種類、配線の直径および配線のトータルの数量を考慮し、適切な配線溝を使用することで、各接続ポートに接続する配線が、逐一配線溝の中に設置することができる。
【００２５】
各図に示すように、本考案が主に含むのは一つのフレーム１０と二つの配線ユニット２０である。該フレームの両サイドにそれぞれ複数個の鎖接孔１２を設け、それによりキャビネットに設置する。該二つの配線ユニット２０は板型構造であり、各配線ユニット２０の片側はそれぞれ該フレーム１０の表面の相対する上下両サイドと結合する。また、各配線ユニット２０に複数個の配線溝２２を設け、且つ該フレーム１０と相対する別側に複数個のそれぞれ該配線溝２２と接続する開口２３を設ける。それにより、多元化する配線ユニット２０を使って該フレーム１０に組み立てることで、各接続ポートの配線がいずれも対応する配線溝に通すことができ、配線と配線がぶつかり合う状況がなく、ベストな配線管理と通風放熱の効果に達する。
【００２６】
図２から図６に示すのは、本考案をキャビネットに用いる配線管理構造に用いた一つの実施例である。軌道と合わせた組立て方法であり、各接続ポートはいずれも対応する配線溝２２がある。上述の本考案の主な構造に基づき、図２に示すように、該フレーム１０表面の上下両サイドに二つの軌道１１を設け、且つ各配線ユニット２０に一つの結合部２１を設ける。各配線ユニット２０は該結合部２１を使って該軌道１１内に滑り入り、それによって該配線ユニット２０は該軌道１１の方向に沿ってスライドすることができる。図２および図３に示すように、更にもっと簡単に接続ポートの種類に基づき設置を行えるよう、各配線ユニット２０は各配線溝２２に基づき、複数個のケーブルマネジメントボード２０１にカットできることで、各ケーブルマネジメントボード２０１はいずれも一つの配線溝２２と一つの対応する開口２３を具有する。よって、接続ポートの種類と位置に基づき、適切なケーブルマネジメントボード２０１をセレクトして該軌道１１内に入れ、ベストな配線管理をすることができる。また、該配線ユニット２０(各ケーブルマネジメントボード２０１)の各開口２３の位置に、更にクリップ３０を設ける。また、該クリップ３０に一つの掛合部３１を設け、更に該配線ユニット２０(各ケーブルマネジメントボード２０１)の各開口２３の横の、該掛合部３１の位置に相対して一つの被掛合部２４を設置する。該掛合部３１と該被掛合部２４の結合により、該クリップ３０は該配線ユニット２０(該ケーブルマネジメントボード２０１)と結合し、且つ該開口２３を閉じることができる。よって、接続ポートに接続する配線は、該配線溝２２の中に通すことができる。更に、該フレーム１０は少なくとも一つの中空部分１３を開けることができ、それによって空気がよりスムーズに流れることで、有効的に放熱効果をアップさせる。
【００２７】
図５および図６に示すのは、それぞれ本考案の側面略図であり、それぞれ本考案の配線ユニット２０の二種類のタイプを示している。各配線ユニット２０はいずれも一つの結合部２１を設けることで、該配線ユニット２０は該軌道１１の中にスライドことができる。図５では、薄型のクリップ３０を使って該配線ユニット２０と結合し、それによってトップの開口２３を閉じる。該結合部２１は外側に向かって二つの弾力フラップ２１１を延伸し、二つの弾力フラップ２１１を押すことにより、簡単に該配線ユニット２０を該軌道１１の中に設置することができる。図６では、円弧型のクリップ３０を使って該配線ユニット２０を結合し、更に該配線ユニット２０のトップに合わせた被掛合部２４を設けることで、該クリップ３０は該配線ユニット２０と結合し、且つトップの開口２３を閉じることができる。このほか、該軌道１１に一つの突起するリブ１１１を設置することで、該配線ユニット２０がより安定したものとなる。
【００２８】
本考案は異なるタイプの接続ポートのニーズに基づき、ニーズに合わせた配線ユニット２０を配置する。接続ポートがいずれも同じタイプである場合、同じ規格の配線溝２２を設けたＬ字型ケーブルマネジメントボード２０２を使って組み立てることができ、有効的に数個のケーブルマネジメントボード２０１を組み立てる時間および材料コストを下げることができる。
【００２９】
図７から図９に示すのは、本考案のキャビネットに用いる配線管理構造の別の実施方法である。前記本考案の主な構造に基づき、含まれるのは一つのフレーム１０および二つの配線ユニット２０である。該フレームの両サイドにそれぞれ複数個の鎖接孔１２を設け、それによりキャビネットに設置する。二つの配線ユニット２０は板型構造であり、各配線ユニット２０片側はそれぞれ該フレーム１０の表面の相対する上下両サイドと結合する。また、各配線ユニット２０に複数個の配線溝２２を設け、且つ該フレーム１０と相対する側に複数個のそれぞれ該配線溝２２と接続する開口２３を設ける。この実施方法において、該二つの配線ユニット２０はＬ字型ケーブルマネジメントボード２０２とすることができ、それぞれ一つの底板２０２１と一つの側面板２０２２を含み、該底板２０２２を通じて該フレームと鎖接して結合する。該配線溝２２と該開口２３は該側面板２０２１に設置することで、接続ポートの配線をそれの中に通すことができる。図７に示すように、各配線ユニット２０のトップに更に一つのクリップ３０を設け、図５および図６を用いて該クリップ３０と配線ユニット２０の配置を見る。該クリップ３０は更に一つの掛合部３１を設けることができ、該側面板２０２２のそれらの開口２３の横に、該掛合部３１の位置に相対して一つの被掛合部２４を設ける。該掛合部３１と該被掛合部２４の結合を介し、該配線ユニット２０は該側面板２０２２と結合し、且つ該開口２３を閉じることができる。図８と図９に示すように、更に蓋４０を設ける。該蓋４０に二つのフック部４１を設置し、更に該二つの側面板２０２２にある該開口２３の横に、該フック４１の位置に相対して一つの凸部２５を設ける。該二つのフック部４１と該二つの凸部２５の結合を介し、該蓋４０は該側面板２０２２と結合し、且つ該開口２３を閉じることができる。また、当該実施の構造において、該フレーム１０は少なくとも一つの中空部分１３を設けることができ、放熱の効果をアップさせる。
【００３０】
図１０に示すのは、本考案の一つの実施例の使用略図である。実際操作する過程において、まず接続が必要な接続ポート５０の種類、配線５１の直径および配線５１のトータルの数量を考慮し、適切ケーブルマネジメントボード２０１をセレクトして、逐一軌道１１の中に設置する。更に各配線５１を順番に各ケーブルマネジメントボード２０１の配線溝２２の中に入れれば完成である。図で分かるように、本考案をキャビネットに用いる配線管理構造に使用し、当該目的は完璧に接続ポート５０と配線５１がそれぞれ専属、専用の配線溝２２があり、決して配線５１同士が互いに重なりぶつかり合う現象が起こらない。このようなデザインを英語で「Ｐｅｒ ＰＯＲＴ Ｄｅｓｉｇｎｅｄ」と呼び、ベストな配線管理に達する。
【００３１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３２】
１０  フレーム
１１  軌道
１１１  リブ
１２  鎖接孔
１３  中空部分
２０  配線ユニット
２０１  ケーブルマネジメントボード
２０２  Ｌ字型ケーブルマネジメントボード
２０２１  底板
２０２２  側面板
２１  結合部
２１１  弾力フラップ
２２  配線溝
２３  開口
２４  被掛合部
２５  凸部
３０  クリップ
３１  掛合部
４０  蓋
４１  フック部
９０  配線溝
９１  本体
９２  バッフル
９３  穴
９４、５０  接続ポート
９５、５１  配線
【図１】
0003185223.tif 000003
【図２】
0003185223.tif 000004
【図３】
0003185223.tif 000005
【図４】
0003185223.tif 000006
【図５】
0003185223.tif 000007
【図６】
0003185223.tif 000008
【図７】
0003185223.tif 000009
【図８】
0003185223.tif 000010
【図９】
0003185223.tif 000011
【図１０】
0003185223.tif 000012